(57)【要約】【課題】空間に存在する２種類の汚染原因の両方を効果的に除去することができる、省スペースで、かつ消費電力も低減できる空気浄化装置を提供する。【解決手段】電極を３個（第一電極２、第二電極４、第三電極６）備えた素子とし、第一電極２と第二電極４の間では沿面放電現象により、空間に存在するカビや浮遊菌やウイルスやアレルゲン成分等に対して効果的な作用を示すようにし、第二電極４と第三電極６の間では、コロナ放電（バリア放電）現象により、空間に存在するＶＯＣ（揮発性有機化合物）に対して効果的な作用を示すようにする。【選択図】  図１
2006167190.tif 000002
【特許請求の範囲】
【請求項１】
第一電極、誘電体および第二電極が順次配置され、前記第二電極に対向する位置に空間を介して第三電極が配設されたことを特徴とする空気浄化装置。
【請求項２】
第一電極と第二電極の間では沿面放電現象を引き起こし、第二電極と第三電極の間ではコロナ放電又はバリア放電を引き起こすことを特徴とする請求項１に記載の空気浄化装置。
【請求項３】
第一電極と第二電極の間の電圧制御と、第二電極と第三電極の間の電圧制御はそれぞれ独立に行なうことを特徴とする請求項１に記載の空気浄化装置。
【請求項４】
第一電極と第二電極の間に印加する電圧の変化の度合いと、第二電極と第三電極の間に印加する電圧の変化の度合いとを同調させることを特徴とする請求項１〜３のいずれかに記載の空気浄化装置。
【請求項５】
第一電極と第二電極の間に電圧を印加する電源と、第二電極と第三電極の間に電圧を印加する電源とが共用され、かつ、第二電極に対して第一電極と第三電極の両方の電位が大きい又は小さいことを特徴とする請求項１又は２に記載の空気浄化装置。
【請求項６】
第一電極と第二電極の間には交流電圧が印加され、第二電極と第三電極の間には直流電圧が印加されることを特徴とする請求項１〜３のいずれかに記載の空気浄化装置。
【請求項７】
第一電極と第二電極の間で引き起こされる沿面放電現象で発生する正負イオンにより生物性の汚染原因を除去・不活化し、第二電極と第三電極の間でのコロナ放電又はバリア放電により揮発性有機化合物を除去・分解することを特徴とする請求項１〜６のいずれかに記載の空気浄化装置。
【請求項８】
第一電極と第二電極の間で引き起こされる沿面放電現象の制御と、第二電極と第三電極の間で引き起こされるコロナ放電又はバリア放電の制御とが、それぞれ独立又は連動して行なわれることを特徴とする請求項１に記載の空気浄化装置。
【請求項９】
送風手段が付設されたことを特徴とする請求項１〜８のいずれかに記載の空気浄化装置。
【発明の詳細な説明】
【技術分野】
【０００１】
本発明は、空気中に存在する、カビや浮遊菌やウイルスや花粉やダニのアレルゲン成分といった生物性の汚れと、ＶＯＣ（揮発性有機化合物）の無生物性の汚れとの、両方を効果的に除去・不活化することができる空気浄化装置に関するものである。
【背景技術】
【０００２】
近年、住宅環境の密閉度合が高まったことなどから、空間内の空気を浄化することにより匂いや汚れを除去することにより、健康で快適な生活を送りたいという要望が強くなっている。
【０００３】
空気の汚れというものは、複数の要因が重なっているが、原因としては、大きく２種類に分類することができる。
ア）カビや浮遊菌やウイルスやアレルゲン成分等によるもの。
イ）人工化学物質ＶＯＣ（揮発性有機化合物）によるもの。
に分類される。
【０００４】
これらの各種成分が住宅等の空間中で混ざり合うことにより、様々な匂いとなったり、人体に有害な影響を与えるものとなる。したがって、人間が健康で快適な生活を送るためには、これらの原因を効果的に除去することが望まれるものであり、商品としてのニーズも非常に高いものとなっている。
【０００５】
まず、ア）カビや浮遊菌やウイルス等によるものに関しては、大気中のイオンの効果を利用する方法が非常に好ましい方法として用いられる。特許文献１などに開示されているように、イオン発生装置を用いた空気調節装置においては、殺菌作用あるいは脱臭作用が得られる。
【０００６】
大気中のイオンの効果を用いるというイオン発生装置の作動原理としては、放電現象を用いることにより、イオンを発生するイオン発生電極を有するイオン発生素子の電極（第一電極と第二電極）間に交流の高電圧（多くの場合はパルス電圧）を印加すると、沿面放電現象によりイオン発生電極（第二電極）から正イオンと負イオンを発生する。イオン種としては、正イオンがＨ＋（Ｈ２Ｏ）ｍ（ｍは任意の自然数）、負がＯ２−（Ｈ２Ｏ）ｎ（ｎは０以上の整数）が最も安定に生成している。
【０００７】
これらの正イオンと負イオンが空気中に同時に生成すると化学反応を起こし、活性種である過酸化水素Ｈ２Ｏ２又はヒドロキシラジカル・ＯＨを生成する。これらの酸化水素Ｈ２Ｏ２又はヒドロキシラジカル・ＯＨが極めて強力な活性を示し、これにより空気中のカビや浮遊菌やウイルスを除去することができるものである。
【０００８】
カビや浮遊菌やウイルスを除去するために、発生する正負イオンをより広い範囲に拡散させるためには、あわせてイオン発生装置を通過させて放出する送風手段とを備えていることが望ましい。送風手段を用いずにイオン発生装置単体の場合は、イオン発生装置で発生した正負イオンが空間に十分に拡散する前に、電荷を失い効力が無くなることがあるからである。
【０００９】
このイオン発生装置を用いたカビや浮遊菌やウイルスの除去方法は、従来の空気調節装置の手法であった各種のフィルターによる手法と比べて、フィルターの交換が不要であることや、空間の隅々に効果が波及すること等の長所を有し、安全な殺菌装置や脱臭装置を実現できるという大きな利点がある。
【００１０】
イオン発生素子から発生する正負イオンによりカビや浮遊菌の除去効果を発揮させるためには、ある程度にイオン濃度を高めることが効果的であり、正負イオン発生素子の吹出しから１０ｃｍ程度の場所でプラスイオンとマイナスイオン濃度がそれぞれ１０００００個／ｃｍ３程度あれば、カビや浮遊菌やウイルスに対して充分な除去効果を発揮する。イオン濃度を高める方法は特に限定されるものではなく、例えば、イオン発生素子に印加する電圧を高めたり、パルス電圧印加のデューティ比を変えたり、周波数を高くしたりすることにより、達成することができる。また、イオン発生電極の配線パタンやイオン発生電極の面積を変えるといった方法も有効である。
【００１１】
図４には、カビや浮遊菌やウイルス等を除去することが効果的な従来の空気浄化装置についての概略図を示している。空気浄化装置はイオン発生素子１０１と送風手段１０２から構成されている。送風手段１０２は無くても構わないが、発生したイオンを空間に効果的に拡散させるためには、ほとんどの場合は用いられる。
【００１２】
イオン発生素子１０１の表面には、誘電体１２０があり、この誘電体１２０の裏側には第一電極としての誘電電極１２１があり、この第一電極としての誘電電極１２１と対抗するように誘電体１２０表面には第二電極としてのイオン発生電極１０３が取付けられている。図４においては、第二電極としてのイオン発生電極１０３の形状は網状となっているが、特に限定されるものではなく公知の針型、直線状の形状等を用いてもよい。
【００１３】
第二電極としてのイオン発生電極１０３と第一電極としての誘導電極１２１は、リード線１２２を通じて高圧パルス駆動回路１２３に接続されている。高圧パルス駆動回路１２３はイオン発生素子１０１の内部に形成されている。
【００１４】
このような構成であるイオン発生装置において、イオン発生装置を駆動することにより、つまり、イオン発生電極１０３と誘導電極１２１間に正負電圧からなるピーク値が例えば、２．７ｋＶであるパルス電圧を印加し、送風手段１０２を駆動することにより、空気１０４が通路１０５を通り、イオン発生素子１０１を通り、第二電極としてのイオン発生電極１０３から発生したイオンを含み、イオンを充分に含んだ空気１０６となって、空間に放出されることになる。
【００１５】
イオンを充分に含んだ空気１０６は、正イオンと負イオンを両方含んでおり、空気中に放出されると、空気中に存在する浮遊菌を殺菌したり、あるいた臭気成分を脱臭するといった効果的な影響を与えることができる。
【００１６】
したがって、このようなイオン発生素子１０１と送風手段１０２とからなるイオン発生装置を住宅設備や建築物や移動手段に適用すれば、空間に正負イオンが供給され、カビやウイルスやアレルゲン成分が除去・不活化され、快適な空間を提供することができる。
【００１７】
これらの内部空間において十分な殺菌・脱臭効果を得るためには、空気調節装置のイオン発生部から１０ｃｍ離れた位置においてのイオン濃度が正イオン、負イオンともに５０００〜１００００個／ｃｍ３となるように設定し、さらに正負イオンが放出された内部空間においては、約２０００個／ｃｍ３程度のイオン濃度であればよい。内部空間の殺菌・脱臭に大変効果的である。
【特許文献１】特開２００２−６５８３６号公報
【発明の開示】
【発明が解決しようとする課題】
【００１８】
ところが、上記の沿面放電現象を用いた大気中のイオンの効果を利用する方法では、生物性の汚染原因に対しては効果を示すものの、イ）人工化学物質ＶＯＣ（揮発性有機化合物）による汚染に対しては、充分な除去効果を確認することができない場合があることが分かった。
【００１９】
空間に存在するＶＯＣ（揮発性有機化合物）が人体に与える影響は近年大きな社会問題となりつつある。特に住宅関係においては、シックハウス症候群の原因となっており、効果的な除去技術の確立が急務となっている。ここで、ＶＯＣとは揮発性有機化合物の総称であり、種類は非常に多く、厚生労働省が目標数値を規定している物質だけでも１４種類ある。
【００２０】
これらのＶＯＣ（揮発性有機化合物）の中でも、特にホルムアルデヒドやアセトアルデヒドやトルエンやキシレンは住宅の部材関係で広く用いられており、これらの化学物質をまず除去することがシックハウス症候群の解決に向けた当面の課題となっている。ＶＯＣには様々なものがあり、たとえば代表的なものを挙げても、ホルムアルデヒドやアセトアルデヒドやトルエンやキシレンやアンモニアやクロロホルムやパラジクロロベンゼンやスチレンやノナナールやｎ−テトラデカンやエチルベンゼンやスチレン等が挙げられる。これらの物質はいずれも揮発性を有し、室内空間にある程度の濃度をもって浮遊する。人間に対しては悪い影響を及ぼす。
【００２１】
すなわち、ＶＯＣは様々な揮発性有機化合物の総称であり、分子構造や種類が多岐に及んでいる。したがって、イオン発生素子から発生させる正負イオンは全てのＶＯＣに効果を示すものではなく、全く効果が及ばない場合がある。したがって、イオン発生素子だけを用いて、住宅等における空間のＶＯＣを効果的に除去するという方法を用いることはできない。
【００２２】
一方、ＶＯＣに関しては、沿面放電現象よりも、プラズマ状態が強くなる放電現象（例えばコロナ放電）を用いることにより、正負イオンだけではなく、プラズマ状態を用いることで、ＶＯＣを効果的に除去・分解できることは知られている。
【００２３】
例えば、公知の技術としても、特許文献２においては、大気圧下での低温プラズマにより排ガス中のＮＯｘ及びパーティキュレートを安定かつ効果的に低減させる方法として、高電気伝導性材料からなる基板層と、セラミック材料からなる電子絶縁層と、耐熱性の高電気伝導性材料からなる電極とを積層して構成され、前記基板層および電極間に交流電源を接続し、大気圧下での低温プラズマにより排ガス中の残存酸素を励起させ、励起種とパーティキュレートの反応による二酸化炭素化と励起種によるＮＯｘの分解を行なうことを特徴とする排ガス処理装置として、公開されている。
【００２４】
また、特許文献３においては、大気圧、常温下で、放電を用いてプラズマを発生させ、かつ処理ガスとプラズマを有効に接触させて処理ガスを分解すると同時に、活性炭やシフトコンバータを用いて、放電二次生成物を無害化できる空気中揮発性有機化合物除去装置が提案されている。具体的には、処理ガス入口ヘッダと出口ヘッダ間に多数のキャピラリー放電管を接続し、その各キャピラリー放電管の出入り口に針電極を対向して配置すると共に、その針電極間に直流、交流またはパルス高圧電源を接続したことを特徴とする、放電プラズマを用いた空気中揮発性有機化合物除去装置が提案されている。
【００２５】
これらの特許文献２，３で示されるように、シックハウス症候群の原因物質である、空間に存在するＶＯＣについて放電現象によるプラズマにより、効果的に除去・分解することができる。
【００２６】
プラズマ領域を効果的に形成するものであれば、放電の形態は問わないが、各種の放電現象のうちで、コロナ放電現象（あるいはバリア放電現象）を用いることは放電の状態あるいはコスト的な観点からも好ましい。
【００２７】
そこで、このような放電現象により、大気圧で発生させたプラズマを室内空間に存在するＶＯＣの除去・分解に利用することができるが、これらの放電現象によるプラズマによっては、空気の汚れのうち、ア）カビや浮遊菌やウイルスやアレルゲン成分等によるもの、に対しては、除去・不活化することには効果的ではない。
【００２８】
そこで、住宅環境等における空気中の汚れを除去するための方法として、大きく、
ア）カビ菌や浮遊菌やウイルス等によるものと、
イ）ＶＯＣ（揮発性有機化合物）によるものと
に分類することができるので、沿面放電現象により、イオン発生素子で発生させる正負イオンにより、カビ菌や浮遊菌やウイルスやアレルゲン成分を除去・不活化させる方法と、第二電極と第三電極の間で発生させるコロナ放電（バリア放電）により生成する広い領域を有するプラズマ領域に汚れた空気を通過させることにより、ＶＯＣを除去する方法とを組合わせることにより、快適な空間を提供することができる。
【００２９】
ところが、単に沿面放電方式によるイオン発生素子を用いたウイルスやカビやアレルゲン成分といった生物性汚染原因除去装置と、コロナ放電方式によるＶＯＣ除去装置を単純に組合わせるだけでは、設置するスペースの問題が発生する場合がある。
【００３０】
また、単に沿面放電方式によるイオン発生素子を用いたウイルスやカビやアレルゲン成分といった生物性汚染原因除去装置と、コロナ放電（バリア放電）方式によるＶＯＣ除去装置それぞれに電源を設けると設置するスペースの増加や、消費電力の増加といった課題があった。
【特許文献２】特開平８−１０５３１７号公報
【特許文献３】特開平１０−３２５号公報  本発明は、上記課題に鑑み、空間に存在する２種類の汚染原因の両方を効果的に除去することができる、省スペースで、かつ消費電力も低減できる空気浄化装置の提供を目的としている。
【課題を解決するための手段】
【００３１】
上記目的を達成するために、本発明者は、膨大な研究の末に、以下の事項を見出し本発明を完成するに至ったものである。すなわち、本発明に係る空気浄化装置においては、電極を３個（第一電極、第二電極、第三電極）備えた素子とし、第一電極と第二電極の間では、沿面放電現象により、空間に存在するカビや浮遊菌やウイルスやアレルゲン成分等に対して効果的な作用を示すようにし、あわせて、第二電極と第三電極の間では、コロナ放電（バリア放電）現象により、空間に存在するＶＯＣに対して効果的な作用を示すことができるようにしたものである。
【００３２】
上記構成の空気浄化装置によれば、空間に存在する２種類の汚染原因である、
ア）カビや浮遊菌やウイルスやアレルゲン成分等によるもの。
イ）人工化学物質ＶＯＣ（揮発性有機化合物）によるもの。
の両方の汚染原因を効果的に除去することができる。
【００３３】
住宅環境等における空気中の汚れを除去するための方法として、大きく
ア）カビ菌や浮遊菌やウイルスやアレルゲン成分等によるものと、
イ）ＶＯＣ（揮発性有機化合物）によるものと
に分類することができるので、イオン発生素子による正負イオンによりカビ菌や浮遊菌やウイルスを除去させる方法と、コロナ放電によりＶＯＣを除去する方法とを組合わせることにより、住宅空間などにおける空気中の生物性の汚染原因とＶＯＣの両方を完全に除去することができ、クリーンで快適な空間を提供することができる。
【００３４】
さらに、本発明に係る空気浄化装置においては、第一電極と第二電極の間で生物性の汚染原因に対して効果を示す沿面放電現象を発生させる電源と、第二電極と第三電極の間でＶＯＣといった無生物性の汚染原因に対して効果を示すコロナ放電（バリア放電）現象を発生させる電源をそれぞれ独自に作動できるようにしたことを特徴としている。
【００３５】
すなわち、一般的な空間における汚染原因としては、上述のとおり、ア）カビやウイルスやアレルゲン成分といった生物性の汚染原因と、イ）ＶＯＣ（揮発性有機化合物）といった無生物性の汚染原因とであるが、これらの混入の割合は、それぞれの住宅環境等により異なっている。生物性の汚染原因の割合が多い場合もあれば、一方で、無生物性の汚染原因の割合が多い場合もある。
【００３６】
そこで、生物性の汚染原因の割合が多い場合においては、第一電極と第二電極の間で生物性の汚染原因に対して効果を示す沿面放電現象を発生させる電源を、第二電極と第三電極の間でＶＯＣといった無生物性の汚染原因に対して効果を示すコロナ放電（バリア放電）現象をよりも多く発生させるようにする。このための方法として、それぞれの電源を調節できることを特徴とする。
【００３７】
逆に、無生物性の汚染原因の割合が多い場合においては、第一電極と第二電極の間で生物性の汚染原因に対して効果を示す沿面放電現象を発生させる電源を、第二電極と第三電極の間でＶＯＣといった無生物性の汚染原因に対して効果を示すコロナ放電（バリア放電）現象をよりも少なく発生させるようにする。
【００３８】
このように調節することにより、空間を最もクリーンを達成しながら、電源を無駄に作用させることがなく、消費電力の低減を達成することができる。
【発明の効果】
【００３９】
以上のとおり、本発明によると、沿面放電方式によりイオン発生素子から正負イオンを発生させて、空間に存在するカビやウイルスやアレルゲン成分といった生物性の汚染原因と、コロナ放電方式によりプラズマ領域を形成し、プラズマの作用によりＶＯＣといった無生物性の人工化学物質の両方とを、効果的に除去・不活化効果を示し、快適な空気浄化作用を示すことができる。
【００４０】
さらに、生物性の汚染原因と無生物性の汚染原因を、沿面放電現象と、コロナ放電（バリア放電）現象の独立した制御により可能であるため、常に室内の空間を最適にクリーンにすることが可能である。また、消費電力についても抑制することができ、効果的である。さらに、これらの組み合わせにより、設置するスペースを少なくすることが可能である。
【発明を実施するための最良の形態】
【００４１】
以下、本発明の実施形態を図面に基づいて説明する。図１は本発明である生物性の汚染原因とＶＯＣといった無生物性の汚染原因の両方に対して効果を示す空気浄化装置の概略図、図２は図１の第一電極と誘電体と第二電極と第三電極を別の方向から見たときの概略図である。
【００４２】
本発明に係る空気浄化装置１は、第一電極２、誘電体３、第二電極４が順次配置され、前記第二電極４の近傍で第二電極４に対向する位置に空間５を介して第三電極６が配設され、その外側には送風手段７が設けられたものである。
【００４３】
送風手段７は、無生物性や生物性の汚染原因を含む空気Ａを第一電極２および第二電極４や第三電極６や空間５が形成される領域に供給する役割を担う。送風手段７は、例えば、送風モータと送風ファンとから構成される。送風手段７によって送られた空気Ａは、沿面放電部とコロナ（バリア）放電部を経て清浄化された空気Ｂとして放出される。
【００４４】
また、第一電極２と第二電極４の間で生物性の汚染原因に対して効果を示す沿面放電現象を発生させる第１の電源８と、第二電極４と第三電極６の間でＶＯＣといった無生物性の汚染原因に対して効果を示すコロナ放電（バリア放電）現象を発生させる第２の電源９とを備えている。
【００４５】
これらの電源８，９は、それぞれ独自に調節できるようにしている。例えば、第一電極２と第二電極４の間の電圧制御と、第二電極４と第三電極６の間の電圧制御はそれぞれ独立に行なう。また、第一電極２と第二電極４の間に印加する電圧の変化の度合いと、第二電極４と第三電極６の間に印加する電圧の変化の度合いとを同調させることもできる。
【００４６】
また、第１の電源８と第２の電源９とを共用し、第二電極４に対して第一電極２と第三電極６の両方の電位を大きく、あるいは小さくすることもできる。さらに、第一電極２と第二電極４の間には交流電圧を印加し、また、第二電極４と第三電極６の間には直流電圧を印加することもできる。
【００４７】
さらに、第一電極２と第二電極４の間で引き起こされる沿面放電現象の制御と、第二電極４と第三電極６の間で引き起こされるコロナ放電又はバリア放電の制御とを、それぞれ独立あるいは連動して行なうこともできる。
【００４８】
図３は沿面放電現象を引き起こす部位の概略図を示し、（ａ）はその側面概略図、（ｂ）は正面概略図を示す。このうち、Ａ）段では第一電極２と誘電体３との配置関係を示し、Ｂ）段では第一電極２と同一面から透かしてみたときの第二電極４と誘電体３との配置関係を示し、Ｃ）段はＡ）段とＢ）段の配置関係を合成した状態を示している。
【００４９】
図３に示すように、第一電極２と誘電体３と第二電極４とからなる放電現象を用いる領域は、生物性の汚染原因に対して除去・不活化の効果を示す正負イオンを発生する。第一電極２は誘電電極として作用し、この誘電電極に対向するように誘電体の表面には第二電極４としてのイオン発生電極が設けられている。第二電極４としてのイオン発生電極の形状は、効果的に正負イオンを放出できるものであれば特に限定されるものではない。さらに、正負イオンをより効果的に発生させるために、電極パタン形状やエッジ形状や材料等を適宜定めることができる。
【００５０】
誘電体３は、その素材として、分極現象を起こすものであれば利用可能であるが、アルミナが好適に使用される。
【００５１】
第一電極２と誘電体３と第二電極４とからなり、第一電極２と第二電極４との間で沿面放電を引き起こし、これにより正負イオンを発生させる。正イオンと負イオンを同じ濃度で両方含んだ状態の場合、イオンが空気中に放出されると、カビやアレルゲン成分に対する不活化効果を示す。
【００５２】
正負イオンの効果については、特開２００２−９５７３１号公報に詳細に記されているが、ここで、簡単に説明すると、その作動原理は、第一電極と誘電体を挟んで配置された第二電極との間に交流電圧を印加することにより、第一電極（イオン発生電極）より正イオンと負イオンを発生する。発生した正イオンとしてはＨ＋（Ｈ２Ｏ）ｍ（ｍは任意の自然数）、負イオンとしてはＯ２−（Ｈ２Ｏ）ｎ（ｎは任意の自然数）が最も安定に生成している。このイオン種については、質量分析法による精密測定で確認されている。
【００５３】
これらの正イオンと負イオンが空気中に同時に生成すると、化学反応を起こし、活性種である過酸化水素Ｈ２Ｏ２又はヒドロキシラジカル・ＯＨを生成する。これらの過酸化水素Ｈ２Ｏ２又はヒドロキシラジカル・ＯＨは極めて強力な活性を示し、これにより空気中の浮遊菌やウイルスや花粉やダニのアレルゲンを除去・不活化することができるというものである。
【００５４】
したがって、上述の効果を発揮するには、空間に正イオンと負イオンの両方を供給しなければならない。また、上述の効果を空間に波及させるためには、正負イオンを含む空気を空間に放出する必要があるので、送風手段７を設けて、この送風手段７からの空気の気流によりイオンを波及させる方法が好ましい。
【００５５】
第二電極４と第三電極６は空間５を隔てて対向配置されている。これらの第二電極４と第三電極６の間では、コロナ放電（バリア放電）現象を発生させることができる。このとき、プラズマ領域が前記空間５に形成されている。このようなプラズマ領域が形成された範囲においては、空気中の汚染原因のうち、シックハウス症候群の原因物質であるＶＯＣを除去・分解することができる。
【００５６】
コロナ放電（バリア放電）現象を発生させるためには、第二電極４と第三電極６の間で電圧を印加する。放電現象を引き起こすためには、第二電極４と第三電極６の距離を適当に設定する必要がある。具体的には、０．５ｍｍから２０ｍｍ程度にすることにより、効果的なコロナ放電（バリア放電）現象を引き起こすことができる。
【００５７】
第二電極４に対向する第三電極６の形状は特に限定されるものではなく、針型がよく知られているが、第二電極４と第三電極６のオーバーラップの度合いが大きくなれば、プラズマ領域が広く形成されるので、ＶＯＣの除去・分解には効果的である。本実施形態では、第三電極６が細長い板状の電極形状となっている。また、第三電極６は、第二電極４とのオーバーラップ部が広くなっているので、プラズマ領域が形成されやすい形状となっている。
【００５８】
図２は、第一電極と誘電体と第二電極と第三電極について、図１とは別の方向から見たときの概略を示している。
【００５９】
誘電体３を挟んで第一電極２と第二電極４の間では沿面放電現象を生じさせる。第二電極４と空間を隔てて対向している第三電極６との間では、コロナ放電（バリア放電）現象を生じさせる。第二電極４と第三電極６とは、そのオーバーラップ領域を大きくすることにより、コロナ放電（バリア放電）のプラズマ領域を大きくすることができる。したがって、第二電極４と第三電極６の間の空間５を通る際に、空間５に存在する無生物性のＶＯＣによる汚染原因が効果的に除去・分解される。
【００６０】
このように、これらの沿面放電とコロナ放電（バリア放電）を組合わせることにより、空間の無生物性の汚染原因と生物性の汚染原因を効果的に除去することができる。両放電現象の組合わせ方により、以下の３つの運転モードが考えられる。
【００６１】
（第１の運転モード）
第１の運転モードは、第二電極４と第三電極６の間での放電を効果的に生じさせるような駆動を行なう運転モードである。この運転モードでは、空気中の無生物性の汚れと生物性の汚れのうち、特に、無生物性の汚れに対して効果が大きい。無生物性の汚れに対しては、第二電極４と第三電極６の間にコロナ放電（バリア放電）現象によりプラズマ領域を形成し、この領域に空気を通過させ、無生物性の汚染原因を除去する。
【００６２】
（第２の運転モード）
第２の運転モードは、空気中の無生物性の汚れと生物性の汚れのうち、特に、生物性の汚れに対して効果が大きい。生物性の汚れに対しては、第一電極２と誘電体３と第二電極４の間による沿面放電現象により、正負イオンを発生させ、送風手段７により空間５に正負イオンを拡散放出させる。これにより、生物性の汚れを除去・不活化する。
【００６３】
（第３の運転モード）
第３の運転モードは、空気中の無生物性の汚れと生物性の汚れの両方を効果的に除去するための運転モードである。この運転モードでは、第二電極４と第三電極６の間でコロナ放電（バリア放電）現象を起こして、ＶＯＣといった無生物性の汚染原因を除去・分解し、また、第一電極２と第二電極４の間で沿面放電現象を起こして、生物性の汚染原因を除去・不活化する作用を合わせて行う。
【００６４】
なお、無生物性の汚染原因と、生物性の汚染原因の混合の度合いが分かる場合（例えば、ある室内空間における、汚染原因が、ほとんどＶＯＣに起因すると分かっている）においては、無生物性の汚染原因を除去・分解する度合いを高めることが効果的である。この場合は、第二電極４と第三電極６の間のコロナ（バリア）放電現象の度合いを大きくして（逆に、第一電極２と第二電極４の間の沿面放電現象の度合いを小さくする）、無生物性の汚染原因に対する除去・分解の効果を大きくすることが効果的である。
【００６５】
無生物性の汚染原因と、生物性の汚染原因に対する作用の度合いを変化させるためには、それぞれの放電現象の度合いを変更させることで対応できる。すなわち、コロナ放電（バリア放電）の度合いを高めれば無生物性の汚染原因に対して、逆に、沿面放電の度合いを高めれば生物性の汚染原因に対する効果が大きくなる。
【００６６】
また、放電の度合いを高める方法として、印加電圧を高めたり、パルス電圧であれば、周期や立ち上がり時間を早くするといった手法により、放電の度合いが高まる。
【００６７】
このように、本実施形態においては、送風手段７と、第一電極２と誘電体３と第二電極４からなる沿面放電部と、第二電極４と第三電極６とからなるコロナ放電（バリア放電）部を組合わせることにより、空気中に浮遊する無生物性の汚れと生物性の汚れの両方について、除去する効果を発揮し、快適な空気清浄作用を示すことができる。
【００６８】
なお、本発明は上記実施形態に限定されるものではなく、本発明の範囲内で修正・変更を加えることができるのは勿論である。
【図面の簡単な説明】
【００６９】
【図１】本発明の実施形態である空気浄化装置の概略図
【図２】図１の第一電極と誘電体と第二電極と第三電極を別の方向から見たときの概略図
【図３】（ａ）は沿面放電現象を引き起こす部位の側面概略図、（ｂ）は同じくその正面概略図
【図４】従来の空気浄化装置の概略図
【符号の説明】
【００７０】
１    空気浄化装置
２    第一電極
３    誘電体
４    第二電極
５    空間
６    第三電極
７    送風手段
８    第１の電源
９    第２の電源  
【図１】
2006167190.tif 000003
【図２】
2006167190.tif 000004
【図３】
2006167190.tif 000005
【図４】
2006167190.tif 000006